【手続補正書】
【提出日】平成17年7月12日(2005.7.12)
【手続補正１】
【補正対象書類名】特許請求の範囲
【補正対象項目名】全文
【補正方法】変更
【補正の内容】
【特許請求の範囲】
【請求項１】
所定の符号化方法の利用を含み、所定の標準規格に従って動作するように規制されているビデオと音声の情報を送信するシステムにおいて、前記の符号化方法とは別個の符号化方法を用いて前記の情報を送信する方法であって、
前記の情報を、別個の符号化方法で符号化された複数のデータ・ストリームに符号化するステップと、
符号化された情報のデータ・ストリームを、前記標準規格で定義された送信パケットのペイロード部分にカプセル化するステップとを含む方法。
【請求項２】
前記のカプセル化された符号化された情報のデータ・ストリームが、前記所定の符号化方法のための制御とタイミングの情報を含んでいる、請求項１に記載の方法。
【請求項３】
前記所定の標準規格が次世代テレビジョン方式委員会（Ａｄｖａｎｃｅｄ  Ｔｅｌｅｖｉｓｉｏｎ  Ｓｙｓｔｅｍｓ  Ｃｏｍｍｉｔｔｅｅ）により規定されたものであり、前記所定の符号化方法がＭＰＥＧ−２である、請求項１に記載の方法。
【請求項４】
別個の符号化方法がＭＰＥＧ−４である、請求項１に記載の方法。
【請求項５】
同期データ・ストリーミングの方法に従って前記送信システムにより情報が送信される、請求項１に記載の方法。
【請求項６】
データ・パイピングの方法に従って前記送信システムにより情報が送信される、請求項１に記載の方法。
【請求項７】
前記の別個の符号化方法により符号化された情報が、実時間プロトコル（Ｒｅａｌ  Ｔｉｍｅ  Ｐｒｏｔｏｃｏｌ）により定義されたパケットにカプセル化される、請求項６に記載の方法。
【請求項８】
前記符号化された情報のヘッダが、前記パケットのトランスポート・ヘッダと位置合せされる、請求項７に記載の方法。
【請求項９】
前記情報のヘッダと前記トランスポート・ヘッダの位置合せがゼロデータの追加（３２６、４２６）によって行われる、請求項８に記載の方法。
【請求項１０】
前記符号化された情報の前記パケット・カプセル化がトランスポートの時間基準とは関係のないものである、請求項７に記載の方法。
【請求項１１】
所定の符号化方法の利用を含み、所定の標準規格に従ってビデオと音声の情報を符号化し、そして前記の符号化された情報を一つもしくはそれ以上のトランスポート・ストリームに構成する符号化／多重化システムであって、
前記所定の符号化方法とは異なった符号化方法に基づいて、情報ストリームを処理して複数のデータ・ストリームにする独立の情報チャンネルと、
前記情報ストリームの次々に追加される符号化情報を、前記所定の標準規格に従って構成された送信パケットのペイロード部に、カプセル化する手段と、
を含む符号化／多重化システム。
【請求項１２】
前記カプセル化する手段が、前記所定の符号化方法のための制御とタイミングの情報を保持するための動作を行う、請求項１１に記載の符号化／多重化システム。
【請求項１３】
データ・パイピング方法により情報が送信され、更に前記の異なった符号化方法で符号化された前記の符号化情報のデータ・ストリームが実時間プロトコル（Ｒｅａｌ  Ｔｉｍｅ  Ｐｒｏｔｏｃｏｌ）に従って構成されたパケットにカプセル化される、請求項１１に記載の符号化／多重化システム。
【請求項１４】
前記符号化情報のヘッダが前記パケットのトランスポート・ヘッダと位置合せされる、請求項１３に記載の符号化／多重化システム。
【請求項１５】
前記情報ヘッダと前記トランスポート・ヘッダとの位置合せがゼロデータをパディングすることにより行われる、請求項１４に記載の符号化／多重化システム。
【請求項１６】
前記符号化情報のデータ・ストリームのパケットへのカプセル化が、トランスポートの時間基準とは無関係である、請求項１３に記載の符号化／多重化システム。
【請求項１７】
符号化された情報を入力端で受信し、前記符号化情報は所定の符号化方法を用いて所定の標準規格に従って符号化され、且つ送信され、そして符号化される前の前記符号化信号を実質的に表している信号を出力する処理手段を含み、
前記の処理手段が、更に前記所定の符号化方法とは別個の符号化方法により符号化された符号化情報を受信し、そして符号化される前の前記別個の符号化方法による符号化信号を実質的に表している信号を出力し、
更に前記の処理手段により受信された前記別個の符号化方法により符号化された情報のデータ・ストリーム部分が、前記所定の標準規格に従って構成された送信パケットのペイロード部にカプセル化される、復号器。
【請求項１８】
前記処理手段により受信された前記別個の符号化方法により符号化された情報のデータ・ストリーム部分が、前記所定の符号化方法のための制御とタイミングの情報を含む、請求項１７に記載の復号器。
【請求項１９】
前記別個の符号化方法により符号化され、前記処理手段により受信された情報がデータ・パイピング方法によって前記復号器に送信され、更に前記別個の符号化方により符号化された符号化情報のデータ・ストリーム部分が、実時間プロトコル（Ｒｅａｌ  Ｔｉｍｅ  Ｐｒｏｔｏｃｏｌ）に従って構成されたパケットにカプセル化される、請求項１７に記載の復号器。
【請求項２０】
前記別個の符号化方法により符号化された情報のヘッダが、前記送信パケットのトランスポート・ヘッダと位置合せされる、請求項１９に記載の復号器。
【請求項２１】
前記情報ヘッダと前記トランスポート・ヘッダとの位置合せがゼロデータのパディングにより行われる、請求項２０に記載の復号器。
【請求項２２】
前記別個の符号化方法により符号化され、符号化情報のデータ・ストリームのパケットへの前記カプセル化が、トランスポートの時間基準とは関係がない、請求項１９に記載の復号器。
【手続補正２】
【補正対象書類名】明細書
【補正対象項目名】発明の名称
【補正方法】変更
【補正の内容】
【発明の名称】別個に符号化された信号をＡＴＳＣのチャンネルにより放送するための方法、システム、および復号器
【手続補正３】
【補正対象書類名】明細書
【補正対象項目名】０００６
【補正方法】変更
【補正の内容】
【０００６】
（発明の概要）
ＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）のディジタル・テレビジョン放送標準規格は、通常の音声とビデオのチャンネルに加えて、データ・チャネルを含んでいる。ＡＴＳＣのデータ・チャネルを使って、ＭＰＥＧ−４のビデオ・ストリームを放送する一般的な方法が提供される。これによって、新しいビデオのサービスが実現可能になる。ＭＰＥＧ−４ストリームは、ＭＰＥＧ−２のＰＥＳ（Ｐａｃｋｅｔｉｚｅｄ  Ｅｌｅｍｅｎｔａｒｙ  Ｓｔｒｅａｍ：パッケト化基本ストリーム）パケットにカプセル化されるか、ＭＰＥＧ−４のトランスポート・パケットに直接カプセル化される。これらの手法により、ＡＴＳＣ標準規格を変更することなく、ＡＴＳＣディジタル・テレビジョン・システムでデータ放送しているときに、ＭＰＥＧ−４ストリームを同時に放送することが可能になる。本発明の一実施例は、移動もしくは固定受信機に対して、ＭＰＥＧ−４のビデオと音声を放送するために、地上波ＡＴＳＣ送信システムを用いている。
請求の範囲と実施例との対応関係を図面で使われている参照番号で示すと次の通りである。
（請求項１）
所定の符号化方法の利用を含み、所定の標準規格に従って動作するように規制されているビデオと音声の情報を送信するシステムにおいて、前記の符号化方法とは別個の符号化方法を用いて前記の情報を送信する方法であって、
前記の情報を、別個の符号化方法で符号化された複数のデータ・ストリーム（３１０，４１０，５１０）に符号化するステップと、
符号化された情報のデータ・ストリームを、前記標準規格で定義された送信パケットのペイロード部分（３２４，４２４，５２４）にカプセル化するステップとを含む方法。
（請求項２）
前記のカプセル化された符号化された情報のデータ・ストリームが、前記所定の符号化方法のための制御とタイミングの情報を含んでいる、請求項１に記載の方法。
（請求項３）
前記所定の標準規格が次世代テレビジョン方式委員会（Ａｄｖａｎｃｅｄ  Ｔｅｌｅｖｉｓｉｏｎ  Ｓｙｓｔｅｍｓ  Ｃｏｍｍｉｔｔｅｅ）により規定されたものであり、前記所定の符号化方法がＭＰＥＧ−２である、請求項１に記載の方法。
（請求項４）
別個の符号化方法がＭＰＥＧ−４である、請求項１に記載の方法。
（請求項５）
同期データ・ストリーミングの方法に従って前記送信システムにより情報が送信される、請求項１に記載の方法。
（請求項６）
データ・パイピングの方法に従って前記送信システムにより情報が送信される、請求項１に記載の方法。
（請求項７）
前記の別個の符号化方法により符号化された情報が、実時間プロトコル（Ｒｅａｌ  Ｔｉｍｅ  Ｐｒｏｔｏｃｏｌ）により定義されたパケットにカプセル化される、請求項６に記載の方法。
（請求項８）
前記符号化された情報のヘッダが、前記パケットのトランスポート・ヘッダと位置合せされる、請求項７に記載の方法。
（請求項９）
前記情報のヘッダと前記トランスポート・ヘッダの位置合せがゼロデータの追加（３２６、４２６）によって行われる、請求項８に記載の方法。
（請求項１０）
前記符号化された情報の前記パケット・カプセル化がトランスポートの時間基準とは関係のないものである、請求項７に記載の方法。
（請求項１１）
所定の符号化方法の利用を含み、所定の標準規格に従ってビデオと音声の情報を符号化し、そして前記の符号化された情報を一つもしくはそれ以上のトランスポート・ストリームに構成する符号化／多重化システムであって、
前記所定の符号化方法とは異なった符号化方法に基づいて、情報ストリームを処理して複数のデータ・ストリームにする独立の情報チャンネル（１１４）と、
前記情報ストリームの次々に追加される符号化情報を、前記所定の標準規格に従って構成された送信パケットのペイロード部に、カプセル化する手段（１２４）と、
を含む符号化／多重化システム。
（請求項１２）
前記カプセル化する手段が、前記所定の符号化方法のための制御とタイミングの情報を保持するための動作を行う、請求項１１に記載の符号化／多重化システム。
（請求項１３）
データ・パイピング方法により情報が送信され、更に前記の異なった符号化方法で符号化された前記の符号化情報のデータ・ストリームが実時間プロトコル（Ｒｅａｌ  Ｔｉｍｅ  Ｐｒｏｔｏｃｏｌ）に従って構成されたパケットにカプセル化される、請求項１１に記載の符号化／多重化システム。
（請求項１４）
前記符号化情報のヘッダが前記パケットのトランスポート・ヘッダと位置合せされる、請求項１３に記載の符号化／多重化システム。
（請求項１５）
前記情報ヘッダと前記トランスポート・ヘッダとの位置合せがゼロデータをパディングすることにより行われる、請求項１４に記載の符号化／多重化システム。
（請求項１６）
前記符号化情報のデータ・ストリームのパケットへのカプセル化が、トランスポートの時間基準とは無関係である、請求項１３に記載の符号化／多重化システム。
（請求項１７）
符号化された情報を入力端で受信し、前記符号化情報は所定の符号化方法を用いて所定の標準規格に従って符号化され、且つ送信され、そして符号化される前の前記符号化信号を実質的に表している信号を出力する処理手段を含み、
前記の処理手段が、更に前記所定の符号化方法とは別個の符号化方法により符号化された符号化情報を受信し、そして符号化される前の前記別個の符号化方法による符号化信号を実質的に表している信号を出力し、
更に前記の処理手段により受信された前記別個の符号化方法により符号化された情報のデータ・ストリーム部分が、前記所定の標準規格に従って構成された送信パケットのペイロード部にカプセル化される、復号器（１３６）。
（請求項１８）
前記処理手段により受信された前記別個の符号化方法により符号化された情報のデータ・ストリーム部分が、前記所定の符号化方法のための制御とタイミングの情報を含む、請求項１７に記載の復号器。
（請求項１９）
前記別個の符号化方法により符号化され、前記処理手段により受信された情報がデータ・パイピング方法によって前記復号器に送信され、更に前記別個の符号化方により符号化された符号化情報のデータ・ストリーム部分が、実時間プロトコル（Ｒｅａｌ  Ｔｉｍｅ  Ｐｒｏｔｏｃｏｌ）に従って構成されたパケットにカプセル化される、請求項１７に記載の復号器。
（請求項２０）
前記別個の符号化方法により符号化された情報のヘッダが、前記送信パケットのトランスポート・ヘッダと位置合せされる、請求項１９に記載の復号器。
（請求項２１）
前記情報ヘッダと前記トランスポート・ヘッダとの位置合せがゼロデータのパディングにより行われる、請求項２０に記載の復号器。
（請求項２２）
前記別個の符号化方法により符号化され、符号化情報のデータ・ストリームのパケットへの前記カプセル化が、トランスポートの時間基準とは関係がない、請求項１９に記載の復号器。
【手続補正４】
【補正対象書類名】明細書
【補正対象項目名】００１４
【補正方法】変更
【補正の内容】
【００１４】
ＡＴＳＣデータ・チャネル１１４（ＡＴＳＣ標準規格Ａ／９０に従う）を介して送信されるデータは、ＭＰＥＧ−２のトランスポート・ストリーム・パケットのペイロードにカプセル化される。種々のデータ送信方法が、Ａ／９０標準規格で検討されており、同期データ・ストリーミング（Ｄａｔａ  Ｓｔｒｅａｍｉｎｇ）とデータ・パイピング（Ｄａｔａ  Ｐｉｐｉｎｇ）が含まれている。同期データ・ストリーミングは、標準規格ではタイミング信号を必要とするデータのストリーミングと定義されている。即ち、受信機に於いて、データとクロックを再現して、同期のとれたデータ・ストリームを作り出す。同期データ・ストリームは、他のデータ・ストリームとは密接なタイミングの関係がなく、パケット化された基本ストリーム（ＰＥＳ）パケットによって転送される。データ・パイピングは、標準規格では、使用者が任意に定めたデータをＭＰＥＧ−２のトランスポート・ストリームに含めて転送する手法と定義されている。データ・パイピングの場合、データは、ＭＰＥＧ−２トランスポート・ストリーム・パケットのペイロードに直接挿入される。
【手続補正５】
【補正対象書類名】明細書
【補正対象項目名】００１８
【補正方法】変更
【補正の内容】
【００１８】
また図２から分るように、サービス多重化機能１２０は、典型的な従来技術であるＭＰＥＧ−２の処理を実行するＭＰＥＧ−２サービス多重化機能１２１と、ＭＰＥＧ−４のビデオ符号器１１５からのＭＰＥＧ−４ＶＯＰストリームを受け取るデータサービス多重化機能１２４との両方を含んでいる。サービス多重化機能１２４は、パケット化された基本ストリーム（ＰＥＳ）パケットもしくはＲＴＰ（Ｒｅａｌｔｉｍｅ  Ｔｒａｎｓｐｏｒｔ  Ｐｒｏｔｏｃｏｌ：リアルタイム・トランスポート・プロトコル）パケットを用いてＭＰＥＧ−４のビデオ・オブジェクト・プレーン（ＶＯＰ）と音声アクセス・ユニットを別個のＰＥＳストリームもしくはリアルタイム・トランスポート・プロトコル（ＲＴＰ）ストリーミングにカプセル化する。本発明に従って、ＭＰＥＧ−４のユニットをパケット化する処理過程を以下に詳述する。
【手続補正６】
【補正対象書類名】明細書
【補正対象項目名】００２０
【補正方法】変更
【補正の内容】
【００２０】
当業者には容易に理解できるように、本発明の原理に従って動作するように設計された復号器１３６は、ＭＰＥＧ−２のトランスポート・ストリームの受信と復号に関する通常の動作に付け加えて、ＭＰＥＧ−２のトランスポート・ストリームにカプセル化されたＭＰＥＧ−４データの再生と復号に関する動作機能を含んでいる。
【手続補正７】
【補正対象書類名】明細書
【補正対象項目名】００２３
【補正方法】変更
【補正の内容】
【００２３】
ここでは、本発明の原理によるＭＰＥＧ−４のユニットのパケット化について詳述する。同期データ・ストリーミングによる実施例は、ＭＰＥＧ−２のＰＥＳとトランスポート・ストリーム・パケットのフォーマットを用いる。各ビデオ・オブジェクト・プレーン（ＶＯＰ）は、可変長のパケット化された基本ストリーム（ＰＥＳ）パケットにカプセル化される。従って、各パケット化された基本ストリーム（ＰＥＳ）パケットは、ＭＰＥＧ−４のビデオ・オブジェクト・プレーン（ＶＯＰ）で始まる。次に、これらのパケット化された基本ストリーム（ＰＥＳ）パケットは、ＭＰＥＧ−２のトランスポート・パケットにカプセル化される。この方法の場合、パケット化された基本ストリーム（ＰＥＳ）パケットは、トランスポート・パケットの始めに位置合せされることが必要である。このため、各ビデオ・オブジェクト・プレーン（ＶＯＰ）の周期ごとに、ゼロデータをパディングする（ＰＡＤＤＩＮＧ）ことになる。このゼロデータのパディングは、ＭＰＥＧ−２トランスポート・パケットの適応フィールドを用いて行われる。ＭＰＥＧ−２トランスポート・パケットは、固定長であるから、ゼロデータのパディングが必要である。従って、ゼロデータは、ＭＰＥＧ−４のビデオ・オブジェクト・プレーン（ＶＯＰ）の終わりと、次のＭＰＥＧ−２トランスポート・パケットの最初にある、次のＭＰＥＧ−４のビデオ・オブジェクト・プレーン（ＶＯＰ）の始めとの間に挿入される。ＭＰＥＧ−４ＶＯＰパケットは、固定した位置関係にあるので、受信機に於いて、ビデオ・オブジェクト・プレーン（ＶＯＰ）を検出することは容易である。即ち、受信機では、各ＭＰＥＧ−２のＴＳパケットの最初を検査して、そこにパケット化された基本ストリーム（ＰＥＳ）パケット（従ってＭＰＥＧ−４ＶＯＰ）があるかどうかを調べるだけでよい。
【手続補正８】
【補正対象書類名】明細書
【補正対象項目名】００２４
【補正方法】変更
【補正の内容】
【００２４】
同期データ・ストリーミングにより、ＭＰＥＧ−４ビデオデータをＭＰＥＧ−２のトランスポート・ストリームにカプセル化する過程の概要が図３に示されている。図３では、ＭＰＥＧ−４ＶＯＰをカプセル化したＰＥＳ（Ｐａｃｋｅｔｉｚｅｄ  Ｅｌｅｍｅｎｔａｒｙ  Ｓｔｒｅａｍ）のシーケンス３１０が、ＭＰＥＧ−２トランスポート・パケットのシーケンス３２０の上に並べて示されている。各ＰＥＳパケット３１０は、ＰＥＳヘッダ３１２−ｉと、同期データヘッダ３１４−ｉと、ＭＰＥＧ−４ビデオ・オブジェクト・プレーン（ＶＯＰ）３１６−ｉ（ｉはパケット番号を表す）とから構成されている。ＭＰＥＧ−２トランスポート・ストリーム３２０では、各トランスポート・パケットは、トランスポート・ヘッダ３２２−ｉと、トランスポート・ペイロード３２４−ｉ（同じく、ｉはパケット番号を表す）からなる。
【手続補正９】
【補正対象書類名】明細書
【補正対象項目名】００２５
【補正方法】変更
【補正の内容】
【００２５】
本発明の原理によると、各パケット化された基本ストリーム（ＰＥＳ）パケットの内容は、一連のトランスポート・パケットのペイロード部にカプセル化される。ここで、一続きの最後のトランスポート・パケットのペイロード部の余分のビットにはゼロデータがパディングされる。図に示された例では、ＰＥＳヘッダ３１２−１と、同期データヘッダ３１４−１と、ＭＰＥＧ−４ＶＯＰ３１６−１の小部分からなる最初のパケット化された基本ストリーム（ＰＥＳ）パケットの始めの部分は、最初のトランスポート・パケットのペイロード部、トランスポート・ペイロード３２４−１にカプセル化されている。ＭＰＥＧ−４ＶＯＰ３１６−１の次の部分は、次のトランスポート・パケットのペイロード部、トランスポート・ペイロード３２４−２にカプセル化されている。ＭＰＥＧ−４ＶＯＰ３１６−１の残の部分は、３番目のトランスポート・パケットのペイロード部、トランスポート・ペイロード３２４−３に、余分のビットを使うためにゼロデータ３２６−３を付け加えてから、カプセル化される。
【手続補正１０】
【補正対象書類名】明細書
【補正対象項目名】００２９
【補正方法】変更
【補正の内容】
【００２９】
データ・パイピングによる実施例に於いても、ＡＴＳＣデータ・パイピングは何らの制限なしに任意の形式のデータをＭＰＥＧ−２のトランスポート・パケットにカプセル化することが可能な手法を用いていることに注目されたい。このように、データ・パイピングには制限がないので、同期データ・ストリーム転送によるよりも効率の良い方法で、ＭＰＥＧ−４ビットストリームをカプセル化することができる。しかし、プレゼンテーション・タイム・スタンプ（ＰＴＳ）は、全てのビデオフレームと全ての音声フレームに用いられる。この目的のために、リアルタイム・トランスポート・プロトコル（ＲＴＰ）に基づいたプロトコルが実施例では好ましい。即ち、各ＭＰＥＧ−４ＶＯＰは、タイム・スタンプを有するＲＴＰヘッダを用いる。周知のように、ＲＴＰヘッダは３２ビットのタイム・スタンプ係数を含んでいる。
【手続補正１１】
【補正対象書類名】明細書
【補正対象項目名】００３０
【補正方法】変更
【補正の内容】
【００３０】
データ・パイピングにより、ＭＰＥＧ−４ビデオデータをＭＰＥＧ−２のトランスポート・ストリームにカプセル化する処理過程の概略が図４に示されている。図４では、ＭＰＥＧ−４ＶＯＰをカプセル化したリアルタイム・トランスポート・プロトコル（ＲＴＰ）のシーケンス４１０がＭＰＥＧ−２トランスポート・パケットのシーケンス４２０の上に並べて示されている。各ＲＴＰパケットは、ＲＴＰヘッダ４１２−ｉと、ＭＰＥＧ−４ＶＯＰ４１６−ｉ（ｉはパケット番号を表す）とから構成されている。ＭＰＥＧ−２トランスポート・ストリーム４２０に於いて、各トランスポート・パケットは、トランスポート・ヘッダ４２２−ｉと、トランスポート・ペイロード４２４−ｉ（同じく、ｉはパケット番号を表す）から成る。図３に示された同期データ・ストリーミングによるカプセル化方法と同じく、各ＲＴＰパケットの内容は、一連のトランスポート・パケットのペイロード部にカプセル化される。ここで、一続きの最後のトランスポート・パケットのペイロード部の余分のビットにはゼロデータがパディングされる。図に示されているように、ＲＴＰヘッダ４１２−１とＭＰＥＧ−４ＶＯＰ４１６−１の部分は、トランスポート・ペイロード４２４−１にカプセル化されている。ＭＰＥＧ−４ＶＯＰ４１６−１の次の部分は、トランスポート・ペイロード４２４−２にカプセル化され、ＭＰＥＧ−４ＶＯＰ４１６−１の最後の部分は、トランスポート・ペイロード４２４−３にカプセル化されている。更に、図に示されているように、ゼロパディング４２６−３が、トランスポート・ヘッダをＶＯＰヘッダと整合させるためにトランスポート・ペイロードで用いられている。
【手続補正１２】
【補正対象書類名】明細書
【補正対象項目名】００３３
【補正方法】変更
【補正の内容】
【００３３】
別の実施例では、上記の実施例のデータ・パイピングに於けるゼロデータの追加が必要でなくなる。この別の実施例では、リアルタイム・トランスポート・プロトコル（ＲＴＰ）パケットはトランスポート・パケットと位置合せをする必要がないようにカプセル化される。この別の実施例のカプセル化方法の概略が図５に示されている。そこでは、図４の方法のように、ＭＰＥＧ−４ＶＯＰをカプセル化したリアルタイム・トランスポート・プロトコル（ＲＴＰ）パケットのシーケンス５１０が、ＭＰＥＧ−２トランスポート・パケットのシーケンス５２０の上に並べて示されている。図５から明らかなように、リアルタイム・トランスポート・プロトコル（ＲＴＰ）パケット・ストリーム５１０とトランスポート・パケット・ストリーム５２０の構成は、図４に示されたリアルタイム・トランスポート・プロトコル（ＲＴＰ）とトランスポート・ストリームの構成に対応している。しかし、図４の方法と異なり、トランスポート・ヘッダをビデオ・オブジェクト・プレーン（ＶＯＰ）パケット・ヘッダと位置合せする必要がない。従って、ある一つのビデオ・オブジェクト・プレーン（ＶＯＰ）パケットの最初のビットは、一つ前のビデオ・オブジェクト・プレーン（ＶＯＰ）パケットの最後のビットを納めているトランスポート・パケットのトランスポート・ペイロードに含めることができる。従って、図４の実施例で用いられたゼロデータをパディングする必要性が無くなる。
【手続補正１３】
【補正対象書類名】明細書
【補正対象項目名】００３５
【補正方法】変更
【補正の内容】
【００３５】
パケットの位置合せ（ａｌｉｇｎｍｅｎｔ）が用いられないと、ゼロデータのパディングに使われたチャネル容量の無駄が無くなる。従って、平均して１フレーム当たり、１８４／２＝９２バイトを節約することができる。元の入力信号のサイズとビットレートによっては、この節約が重要になることがある。ＨＤＴＶの場合、無駄にされる帯域幅の相対的なパーセントは小さなものである。しかし、本発明による方法が、低画質もしくは低フレームレートの場合に用いられると、フレーム当たり数個のトランスポート・パケットしか必要でないことが起こり得る。このような場合、チャネル帯域幅の２０から３０パーセントを節約することができる。しかし、同期データ・ストリームを用いた実施例では、パケット化された基本ストリーム（ＰＥＳ）を用いる必要があるので、帯域幅の節約を得ることが出来ない。